(57)【要約】      （修正有）【課題】複数の板片の組立により箱を形成し、縦列に箱を重ねた縦型容器、あるいは、横列に並び合わせた横型容器を容易に制作し、または、簡単に解体して、再利用を図り、あるいは、横型と縦型の容器に相互交換するために、複数の板片を着脱自由にする接続具を提供する。【解決手段】複数の板片の組立により箱を形成し、縦列に箱を積み重ねた縦型容器、あるいは、横列に並び合わせた横型容器を容易に制作し、または、簡単に解体して、再利用を図り、あるいは、横型と縦型の容器に相互交換するために、複数の板片に適宜に接着した凸型の挿込棒３、４と凹型の受入筒２の組合せからなる複数の板片の接続具１という構成からなる。【選択図】図１
0003213649.tif 000002
【実用新案登録請求の範囲】
【請求項１】
複数の板片の組立により箱を形成し、縦列に箱を積み重ねた縦型容器、あるいは、横列に箱を並べ合わせた横型容器を容易に制作し、または、これらの容器を簡単に解体して再利用しあるいは縦型と横型の容器に相互変換するために、複数の板片に接着した凸型の挿込棒と凹型の受入筒の組合せからなる複数の板片の接続具。
【考案の詳細な説明】
【技術分野】
【０００１】  本考案は、箱型の容器を組立てるための接続具に関する。
【背景技術】
【０００２】  市場を眺めてみると、複数の板片を組立て縦列に長い容器を形成し、商品棚・案内塔等として、あるいは、複数の板片を横列に長い容器を形成し、花壇・仕訳箱等として販売されている。これらの容器は、常設の商品を販売する店舗・商品展示場等で実際に利用されている。
ところが、例えば、博覧会・展示会等の、一定期間を限って商品を販売する店舗として利用するためには、これらの縦型あるいは横型の容器を容易に制作しかつ簡単に解体し、また、別の機会に再度の利用を図り、更に、事情により縦型あるいは横型に相互転換する必要もある。
そこで、複数の板片の組立てにより箱を形成して、縦列に箱を積み重ねて縦型の容器とし、あるいは、横列に箱を並べ合わせて横型の容器とし、また、複数の板片の組立てにあたり、着脱自在な接続具を用いることになる。
しかし、複数の板片の組立によって箱を作るにあたり、従来、釘・楔・鎹・ホチキス・接着剤等によって、あるいは、板片の切り込みによって板片を接続している。
【考案の開示】
【考案が解決しようとする課題】
【０００３】  本考案の解決しようとする問題点は、次の通りである。【０００４】  従来の釘・楔・鎹・ホチキス・接着剤等で板片を接続すれば、板が固着してしまうので、容易かつ簡単に箱型容器を解体できなくなる。また、板片に切込みを入れて相互に重ね合わせて板片を接続すれば、容易に形成しかつ簡単に解体できるが、切込みそれ自体が大変となる。
そうすると、複数の板片を着脱自在にする接続具を用いれば、複数の板片を箱型に組立して、縦型あるいは横型の容器を容易に制作し、また、簡単に解体し、しかも、再利用し、あるいは、縦型と横型の容器を相互転換することもできる。
【課題を解決するための手段】
【０００５】  本考案の解決する手段は、次の通りである。【０００６】  複数の板片（５）の組立により箱枠を形成して、縦列に箱枠を積み重ねた縦型容器（１２）、または、横列に箱を並べて横型容器（１１）として容易に制作しあるいは簡単に解体して、再利用あるいは縦型（１２）と横型（１１）の容器を相互変換するために、複数の板片（５）に適宜に配置して接着した凸型の挿込棒と凹型の受入筒（２）（３）（４）の組合せからなる接続具（１）である。
【考案の効果】
【０００７】  本考案の効果は、次の通りである。【０００８】  先ず、縦型容器（１２）を商品棚や案内塔として、あるいは、横型容器（１１）を花壇や仕訳箱として、それぞれの箱枠の棚に商品等を入れて商品販売の店舗、商品展示場等で実際に有効活用できるし、また、これらの箱枠の容器を容易に制作しかつ簡単に解体できる。
次に、これらの箱枠の容器をいったん利用した後にも解体して別の機会に再利用を図り、あるいは、縦型（１２）にも横型（１１）にも相互に転換することができるので、実際に利用価値があり、資源の無駄にはならない。
【図面の簡単な説明】
【０００９】
【図１】  本考案に係る接続具に関す図面である。
【図２】  本考案に係る接続具を板片に配置した図面である。
【図３】  本考案に係る横型容器の図面である。
【図４】  本考案に係る縦型容器の図面である。
【符号の説明】
【００１０】  １  接続具
２  受入筒
３  受入筒兼挿込棒（短）
４  受入筒兼挿込棒（長）
５  板片
６  一の板
７  二の板
８  三の板
９  四の板
１０  五の板
１１  横型容器
１２  縦型容器
１３  網板
１４  吊具
【考案を実施するための形態】
【００１１】  本考案の実施の形態である。
【００１２】  本考案は、複数の板片（５）の組立からなる箱枠を連結して縦型（１２）あるいは横型（１１）とした容器において、複数の板片（５）を組立てるための接続具（１）である。
先ず、接続具（）は、挿込棒と受入筒の組合せからなる装置である。挿込棒は、凸型をした細い棒であり、また、受入筒は、この細い棒を納める凹型をした筒である。いずれも、プラスチックや金属を素材とするものである。
この接続具の態様は、次の通りである。
一つは、受入筒のみである。これを受入筒（２）という。
二つは、受入筒と挿込棒との結合である。これを受入筒兼挿込棒（短）（２）という。
三つは、受入筒と先端を延伸した挿込棒との結合である。これを受入筒兼挿込棒（長）（４）という。
次に、この接続具（１）は、複数の板片（５）を接続するためのものであり、従って、複数の板片（５）が必要となる。この板片（５）は、硬い素材であれば、木製でも、プラスチック製でも、コンクリート製でもよい。これらの接続具（１）を市販の強力な接着剤をもって板片（５）にそれぞれ接着する。
板片（５）に接続具（１）を配置する態様に応じて、次の通りである。
一の板は、板片（５）の両端の下段に受入筒（２）を上向きに配置して接着したものである。
二の板は、板片（５）の一端の上段に受入筒兼及び挿込棒（短）（３）を下向きにし、他端の下段に受入筒（２）を上向きに配置して接着したものである。
三の板は、板片（５）の両端の上段に受入筒及兼挿込棒（短）（３）を下向きに配置して接着したものである。
四の板は、板片（５）の一端の上段に受入筒兼挿込棒（長）（４）を下向きにし、他端の下段に受入筒（２）を上向きに配置して接着したものである。
五の板は、板片（５）の両端に受入筒兼挿込棒（長）（４）を下向きに配置して接着したものである。
最後に、これらの接続具（１）を配置した板片（５）を組立て、四角形のみならず、五角形・八角形等の多角形の箱枠の容器を制作する。
横型の容器（１０）の制作にあたり、一の板（６）と三の板（８）の外に、二の板（７）を複数枚準備し、それぞれの板片に接着した挿込棒と受入筒を接続する。二の板（７）の数によって、横型容器（１１）の長さを調節できる。これを花壇とし、あるいは、仕訳箱として利用することができる。
縦型の容器（１２）の制作にあたり、１段目の箱枠において、一の板（６）、二の板（７）２枚、三の板（８）を準備し、２段目の箱枠において、一の板（６）、四の板（９）２枚、五の板（１０）を準備し、これ以上の段の箱枠においては、２段目と同様とする。それぞれの板片（５）の両端にある挿込棒と受入筒をそれぞれ接着する。これらの箱の間に網状の板（１３）を挿し込み、この網目から下げた吊具（１４）に商品を下げ、商品棚とし、あるいは、箱に写真等を貼り付け案内塔とすることができる。
【図１】
0003213649.tif 000003
【図２】
0003213649.tif 000004
【図３】
0003213649.tif 000005
【図４】
0003213649.tif 000006
【手続補正書】
【提出日】平成29年9月12日(2017.9.12)
【手続補正１】
【補正対象書類名】図面
【補正対象項目名】図２
【補正方法】変更
【補正の内容】
【図２】
0003213649.tif 000007
【手続補正２】
【補正対象書類名】図面
【補正対象項目名】図３
【補正方法】変更
【補正の内容】
【図３】
0003213649.tif 000008
【手続補正３】
【補正対象書類名】図面
【補正対象項目名】図４
【補正方法】変更
【補正の内容】
【図４】
0003213649.tif 000009